【事件の表示】
　特願２０１７−１０９４６号「照明装置」拒絶査定不服審判事件〔平成３０年８月２日出願公開、特開２０１８−１２０７３０号、請求項の数（６）〕について、次のとおり審決する。
【結　論】
　原査定を取り消す。
　本願の発明は、特許すべきものとする。
【理　由】
第１　手続の経緯
　本願は、平成２９年１月２５日の出願であって、令和２年７月３０日付けで拒絶理由通知がされ、同年９月２９日に意見書が提出されるとともに、特許請求の範囲について補正をする手続補正書が提出されたが、同年１０月２１日付けで拒絶査定（以下、「原査定」という。）がされたものであり、それに対して令和３年２月３日に拒絶査定不服審判の請求と同時に、特許請求の範囲及び明細書について補正する手続補正書が提出され、当審が同年６月１７日付けで拒絶理由通知をし、同年８月１９日に意見書が提出されるとともに、特許請求の範囲及び明細書について補正をする手続補正書が提出されたものである。
第２　当審拒絶理由について
・特許法第３６条第６項第１号について
　当審では、筐体の開口を蓋で覆うことで、通信モジュールの落下及び盗難の防止という課題を解決できると解されるところ、請求項１の「前記接続用端子を覆うように前記筐体に設けられた蓋と」なる記載では、必ずしも発明の詳細な説明に記載の上記課題を解決できるものとは認められないから、請求項１における上記記載は、発明の詳細な説明によって技術的に裏付けられたものとはいえない旨の拒絶理由、及び、請求項２の「前記光源は、前記筐体の内部空間であって前記開口から光を発する位置に配置され」なる記載、並びに、「前記蓋は、前記開口を覆う」なる記載では、上記光源からの光が開口から外に出るためには、上記蓋は透光性があるものと解されるが、発明の詳細な説明には、蓋の材料として透光性があるものは何ら記載されておらず、示唆もなく、金属材料を使うことが例示されているのみであり、光源からの光が開口から外に出るようにするための具体的な構成として、発明の詳細な説明には、光源の位置に合わせて蓋に光源用窓を設けることが開示されているが、このことと、請求項２の上記記載とは、整合していない旨の拒絶理由を通知した。
　それに対して、令和３年８月１９日に提出された手続補正書により、請求項１の上記記載は、「前記筐体の開口を覆うように前記筐体に設けられた蓋と」に補正され、請求項２の上記記載が削除されるとともに、請求項１において、「前記蓋は、前記筐体の内部空間に装着された前記無線通信モジュールの一部が観察可能である第１貫通孔と、前記光源の光が外部に出力されるように第２貫通孔とが形成され」との補正がされて、上記拒絶理由は解消された。
第３　本願発明
　本願の請求項１〜６に係る発明（以下、それぞれ、「本願発明１」〜「本願発明６」という。）は、令和３年８月１９日に提出された手続補正書により補正された特許請求の範囲の請求項１〜６に記載された事項により特定される以下のとおりのものと認められる。
「【請求項１】
　一方の底面が開口した内部空間を有する筐体と；
　前記筐体の内部空間に設けられる光源と；
　前記筐体の内部空間に着脱可能である蓄電池と；
　前記筐体の内部空間に設けられ、前記光源の点灯動作或いは前記蓄電池への充放電動作を行う電源と；
　アンテナを有し少なくとも外部装置と無線通信を行う無線通信モジュールが前記筐体の内部空間に挿入された場合に、前記アンテナが操作可能な位置に配置され、かつ前記無線通信モジュールを前記電源に接続する接続用端子と；
　前記筐体の開口を覆うように前記筐体に設けられた蓋と；
　を具備し、
　前記蓋は、前記筐体の内部空間に装着された前記無線通信モジュールの一部が観察可能である第１貫通孔と、前記光源の光が外部に出力されるように第２貫通孔とが形成され、
　前記無線通信モジュールは、前記第1貫通孔よりも大きく、
　前記蓋は、前記無線通信モジュールが前記筐体の内部空間に挿入された後に前記筐体に取り付けられ、
　前記アンテナが操作されたときに点検動作を開始する照明装置。
　　【請求項２】
　前記蓄電池は、前記開口から前記筐体の内部空間に着脱可能であって、前記筐体の内部空間への装着時には前記筐体の内部空間の一部領域に配置され、
　前記電源は、前記筐体の内部空間の一部領域以外の他の領域に配置され、
　前記接続用端子は、前記無線通信モジュールが前記開口から前記筐体の内部空間に挿入された場合に、前記無線通信モジュールを前記電源に接続する請求項１に記載の照明装置。
　　【請求項３】
　前記筐体の内部空間の他の領域に、前記無線通信モジュールを収容可能である収容スペースが形成される請求項２に記載の照明装置。
　　【請求項４】
　前記無線通信モジュールは、前記筐体の内部空間への装着時に、前記無線通信モジュールの前記アンテナ部が前記第１貫通孔から外部に突出する請求項３に記載の照明装置。
　　【請求項５】
　前記電源は、前記接続用端子を有し、前記収容スペースが形成される請求項３または４に記載の照明装置。
　　【請求項６】
　前記電源は、前記開口側の面上に、所定の処理の実行の有無を示すモニタを有し、
　前記無線通信モジュールは、前記筐体の内部空間の装着時には、前記モニタの周辺に位置する請求項２〜５のいずれか一つに記載の照明装置。」
第４　原査定の概要
　この出願の下記に係る発明は、その出願前に日本国内又は外国において、下記の頒布された刊行物に記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　記
・請求項　１〜６
・引用文献等　１〜４
・引用文献等一覧
１．特開２００８−１９２３３４号公報
２．特開２０１４−２２０１６２号公報
３．特開２００８−１９２３３３号公報
４．特開２００４−１８５９７８号公報
第５　引用文献の記載事項等
１　引用文献１について
　引用文献１には、図面とともに以下の事項が記載されている（下線は当審が付与。以下同様。）。
（１）「【技術分野】
【０００１】
　この発明は、商用電源が遮断された場合に、蓄電池駆動により点灯して所要箇所の照明を行う非常用照明器具に関するものである。」
（２）「【発明を実施するための最良の形態】
【００１２】
　以下添付図面を参照して、本発明に係る非常用照明器具の実施例を説明する。各図において同一の構成要素には、同一の符号を付して重複する説明を省略する。実施例に係る
非常用照明器具は
有底筒状の
本体１０に、蓄電池ボックス２０、ユニットケース３０が配設される
【００１３】
　蓄電池ボックス２０は、図６に示すように平面形状がほぼＵ字状である。
ユニットケース３０は
蓄電池ボックス２０が収納されるスペースを除く本体１０内のスペースに配置され
中央部にはランプソケット４３が埋設されている
【００１４】
　反射板４１は、上記ユニットケース３０と蓄電池ボックス２０により本体１０の内側中央部に形成される穴部４２へ配置される。
ランプソケット４３には、光源であるハロゲンランプ等のランプ４４が嵌合される
【００１５】
　
ユニットケース３０には
蓄電池２１を充電する充電回路３１
ランプ４４を点灯させると共に点検等の各種場合に制御を行う点灯回路３３
リモコンと通信を行うためのリモコンモジュール３５
が備えられている
（３）「【００２３】
　更に、本実施例では、図２、図４、図１２に示すリモコンモジュール３５が図４に示すようにプリント配線板５１と蓄電池ボックスの間に（図４の基板面５１ｂ側に）配置されている。この
リモコンモジュール３５は、受光素子と発光素子などの無線通信部品であり
【００２４】
　また、リモコンモジュール３５は、平面形状がほぼＵ字状の蓄電池ボックス２０において、コネクタ２９が設けられている端部とは反対側の端部に設けられており、プリント配線板５１と蓄電池とを接続する配線長の短縮に寄与している。
ユニットケース３０側のコネクタ３６はリモコンモジュール３５のコネクタ２９と結合する
【００２６】
　以上の構成において
非常用照明器具の設置及び組み立ての場合には、まず、ユニットケース３０が配設された状態の本体１０を
配置する
この状態の本体１０に対し、
蓄電池ボックス２０を本体１０方向へ押し上げ
係合させ
【００２７】
　
本体１０の開口側から
カバー６０が被せられる
カバー６０
ランプ４４の照射光が射出する投光開口を構成する穴６１が形成され
リモコンモジュール３５に
対応する位置に穴
６７が形成されている
図１
図３
図６
（４）引用文献１の記載から認められること
ア　上記（２）の【００１２】〜【００１４】、上記（３）の【００２７】及び図１の記載によれば、
非常用照明器具は、有底筒状の本体１０と、本体１０内のスペースの中央部に埋設されるランプソケット４３に嵌合されるランプ４４と、本体１０内のスペースに収納される蓄電池ボックス２０と、本体１０内のスペースに配置されるユニットケース３０と、本体１０の開口側から被せられるカバー６０と、を有する
イ　上記（２）の【００１５】の記載によれば、
蓄電池ボックス２０には、蓄電池２１が備えられる
ユニットケース３０には、蓄電池２１を充電する充電回路３１と、ランプ４４を点灯させると共に点検等の各種場合に制御を行う点灯回路３３と、リモコンと通信を行うためのリモコンモジュール３５が備えられる
ユニットケース３０側のコネクタ３６はリモコンモジュール３５のコネクタ２９と結合し、点灯回路３３を介してリモコンモジュール３５を蓄電池２１と接続する
ウ　上記（３）の【００２３】の記載によれば、
リモコンモジュール３５は、受光素子と発光素子などの無線通信部品により構成される
カバー６０には、ランプ４４の照射光が射出する投光開口を構成する穴６１と、リモコンモジュール３５に対応する位置に穴６７が形成される
エ　上記（３）の【００２６】、【００２７】及び図６，１の記載によれば、
カバー６０は、蓄電池ボックス２０とユニットケース３０が本体１０内のスペースに収容された後に本体１０に被せられる
（５）上記（４）ア〜エを総合すると、引用文献１には、以下の発明（以下、「引用発明」という。）が記載されていると認められる。
「有底筒状の本体１０と、
　本体１０内のスペースの中央部に埋設されるランプソケット４３に嵌合されるランプ４４と、
　本体１０内のスペースに収納される蓄電池ボックス２０と、
　本体１０内のスペースに配置されるユニットケース３０と、
　本体１０の開口側から被せられるカバー６０と、
　を有し、
　蓄電池ボックス２０には、蓄電池２１が備えられ、
　ユニットケース３０には、蓄電池２１を充電する充電回路３１と、ランプ４４を点灯させると共に点検等の各種場合に制御を行う点灯回路３３と、リモコンと通信を行うための、受光素子と発光素子などの無線通信部品により構成されるリモコンモジュール３５が備えられ、
　ユニットケース３０側のコネクタ３６はリモコンモジュール３５のコネクタ２９と結合し、点灯回路３３を介してリモコンモジュール３５を蓄電池２１と接続し、
　カバー６０には、ランプ４４の照射光が射出する投光開口を構成する穴６１と、リモコンモジュール３５に対応する位置に穴６７が形成され、
　カバー６０は、蓄電池ボックス２０とユニットケース３０が本体１０内のスペースに収容された後に本体１０に被せられる、非常用照明器具。」
２　引用文献２について
　引用文献２には、図面とともに以下の事項が記載されている。
「【００３１】
　なお、実施の形態１において、光照射側とは、光が出射する側であって、ＬＥＤユニット１００を基準にして、ＬＥＤユニット１００から光が取り出される側である。図１Ａでは、光照射側が上側となるように、また、図１Ｂでは、光照射側が下側となるように図示されている。
【００３２】
　ＬＥＤユニット１００は、光照射側の中心部分に、ＬＥＤユニット１００の内部に向かって凹んだ円筒状の凹部を有する。凹部の底面には、第一接続部１９０が設けられる。凹部には、機能付加装置２００が挿入され、第一接続部１９０には、機能付加装置２００の第二接続部２１０が接続される。すなわち、ＬＥＤユニット１００には、機能付加装置２００が接続される。
【００３３】
　機能付加装置２００は、ＬＥＤユニット１００に接続されることによってＬＥＤユニット１００に機能を付加する装置である。機能付加装置２００は、実施の形態１では、センサ部２５０（機能付加部）によって赤外線を検知し、ＬＥＤユニット１００の点灯及び消灯を制御するための制御信号をＬＥＤユニット１００に送信する。
【００３４】
　ＬＥＤユニット１００は、機能付加装置２００が接続されていないときは、通常通り、壁等に設けられたスイッチのＯＮ・ＯＦＦに応じて点灯及び消灯する動作を行う。
【００３５】
　ＬＥＤユニット１００は、ユーザによって機能付加装置２００が接続されたときは、赤外線を検知するいわゆる人感センサ付のＬＥＤユニットとして、赤外線の検知後、一定時間点灯した後、自動的に消灯する動作を行う。つまり、機能付加装置２００によって、ＬＥＤユニット１００には、赤外線検知機能が付加される。
【００３６】
　次に、実施の形態１に係るＬＥＤユニット１００及び機能付加装置２００の詳細構成について、図２を用いて説明する。図２は、実施の形態１に係るＬＥＤユニット１００の側面図及び断面図である。図２の（ａ）は、ＬＥＤユニット１００の側面図、図２の（ｂ）は、ＬＥＤユニット１００の断面図である。なお、図２は、光照射側を下側とした場合の図であり、機能付加装置２００が接続された状態におけるＬＥＤユニット１００の断面図である。
【００３７】
　図２に示されるように、実施の形態１に係るＬＥＤユニット１００は、透光性カバー１１０と、筐体１２０と、支持台１３０と、ＬＥＤモジュール１４０と、回路基板１６０（駆動回路）と、熱伝導シート１７０と、接続ピン１８０と、第一接続部１９０とを備える。」
図１A
図２
３　引用文献３について
　引用文献３には、図面とともに以下の事項が記載されている。
「【００２３】
　以上の構成において非常用照明器具の設置及び組み立ての場合には、まず、ユニットケース３０が設けられた状態の本体１０を天井にネジにより配置する。このとき、ＡＣコネクタ１１に交流電源（ＡＣ１００Ｖ）を接続すると共に有線通信コネクタ３４と通信ケーブルを接続する。この状態の本体１０に対し、図６に示されるように蓄電池ボックス２０を支え、本体１０内の空きスペースに蓄電池ボックス２０を合わせると共にコネクタ２９をユニットケース３０のコネクタ３６に対応付けて、蓄電池ボックス２０を本体１０方向へ押し上げ、バネ２２、２３の段部２２ａ、２３ａと突起１３、１４と係合させる。
【００２４】
　また、蓄電池ボックス２０を取り外す場合には、蓄電池ボックス２０に設けられたバネ２２、２３の端部を適当な指を使って押圧し、図６に示されるように蓄電池ボックス２０を支えながら本体１０から引き出す。この場合に、指をバネ２２、２３の端部へ添わせ易く、両手で蓄電池ボックス２０を支えるなどの作業が行い易く、また、バネ２２の位置近傍にコネクタ２９が存在するため、蓄電池ボックス２０の引き出しと共にコネクタ２９の結合を解除がなされ、コネクタ２９、３６の破損を回避できるものである。」
図６
４　引用文献４について
　引用文献４には、図面とともに以下の事項が記載されている。
（１）「【００３４】
本実施形態に係る照明システム１ａは、例えばオフィス等の比較的広い空間を有する照明エリアＲ内に無線ＬＡＮを構築可能なものであり、複数の非常用照明器具１０ａ及び複数の常用照明器具３０等を備えている。
【００３５】
まず、非常用照明器具１０ａについて説明する。非常用照明器具１０ａは夫々、例えば直管型蛍光ランプ等からなる光源としての常用ランプ１４及び電球等からなる光源としての非常用ランプ１６とを備えた直付け型の蛍光灯器具である。なお、非常用照明器具１０ａは埋込み型等の天井装置型であればよい。
【００３６】
詳しくは、非常用照明器具１０ａは、器具本体１１と、反射笠１２と、ランプソケット１３と、照明用の常用ランプ１４と、制光体１５と、非常用ランプ１６と、無線中継器１７と、常用点灯制御部２２を有する点灯装置２０と、非常用点灯制御部６０ａと、非常用電源５５とを備えている。」
（２）「【００３９】
器具本体１１の中間部は下面が蓋部１９ａで閉鎖された空間部１９となっている。この空間部１９には非常用ランプ１６及び無線中継器１７が収容されている。非常用ランプ１６は非常用点灯制御部６０ａを介して後述するように非常用電線３及び共通電線４と電気的に接続している。無線中継器１７が有する一対のアンテナ１７ａは蓋部１９ａを貫通して下側に突出している。なお、図１ではアンテナ１７ａは蓋部１９ａに対して略垂直に突出しているが、アンテナ１７ａと蓋部１９ａとのなす角度は任意に設定可能であり、水平に折れ曲がっていてもよい。」
図１
第６　対比・判断
１　本願発明１について
（１）対比
　本願発明１と引用発明とを対比すると、後者の「本体１０」は、前者の「筐体」に相当し、以下同様に、「本体１０内のスペース」は「前記筐体の内部空間」に、「ランプ４４」は「光源」に、「被せられる」ことは「覆う」ことに、「カバー６０」は「蓋」に、「有」することは「具備」することに、「蓄電池２１」は「蓄電池」に、「充電回路３１」及び「点灯回路３３」は「電源」に、「リモコン」は「外部装置」に、「リモコンモジュール３５」は「無線通信モジュール」に、「コネクタ３６」は「接続端子」に、「穴６１」は「第２貫通孔」に、「穴６７」は「第１貫通孔」に、「非常用照明器具」は「照明装置」に、それぞれ相当する。
　後者の「有底筒状の本体１０」は、内部にスペースを有し、開口も有するものであるから、前者の「一方の底面が開口した内部空間を有する筐体」に相当する。
　後者の「本体１０内のスペースの中央部に埋設されるランプソケット４３に嵌合されるランプ４４」は、前者の「前記筐体の内部空間に設けられる光源」に相当し、後者の「本体１０の開口側から被せられるカバー６０」は、前者の「前記筐体の開口を覆うように前記筐体に設けられた蓋」に相当し、後者の「カバー６０には、ランプ４４の照射光が射出する投光開口を構成する穴６１と、リモコンモジュール３５に対応する位置に穴６７が形成され」ることは、穴６７からリモコンモジュール３５の少なくとも一部が見えるのは明らかであるから、前者の「前記蓋は、前記筐体の内部空間に装着された前記無線通信モジュールの一部が観察可能である第１貫通孔と、前記光源の光が外部に出力されるように第２貫通孔とが形成され」ることに相当する。
　上記（３）の【００２６】及び図６を参照すると、後者の「蓄電池ボックス２０」は、本体１０に着脱可能であるのは明らかであるから、後者の「本体１０内のスペースに配置されるユニットケース３０」に「備えられ」る「蓄電池２１」は、前者の「前記筐体の内部空間に着脱可能である蓄電池」に相当する。
　後者の「蓄電池２１を充電する充電回路３１」及び「ランプ４４を点灯させる」「点灯回路３３」は、本体１０内のスペースに配置されるユニットケース３０に備えられるものであるから、前者の「前記筐体の内部空間に設けられ、前記光源の点灯動作或いは前記蓄電池への充放電動作を行う電源」に相当する。
　後者では、リモコンモジュール３５はユニットケース３０に備えられるから、後者の「カバー６０は、蓄電池ボックス２０とユニットケース３０が本体１０内のスペースに収容された後に本体１０に被せられる」ことは、前者の「前記蓋は、前記無線通信モジュールが前記筐体の内部空間に挿入された後に前記筐体に取り付けられ」ることに相当する。
　後者の「コネクタ３６」は、リモコンと通信を行うためのリモコンモジュール３５のコネクタ２９と結合し、点灯回路３３を介してリモコンモジュール３５を蓄電池２１と接続するものであるから、前者の「アンテナを有し少なくとも外部装置と無線通信を行う無線通信モジュールが前記筐体の内部空間に挿入された場合に、前記アンテナが操作可能な位置に配置され、かつ前記無線通信モジュールを前記電源に接続する接続用端子」と、「少なくとも外部装置と無線通信を行う無線通信モジュールが前記筐体の内部空間に挿入された場合に、前記無線通信モジュールを前記電源に接続する接続用端子」という点で共通する。
　そうすると、本願発明１と引用発明との一致点及び相違点は、以下のとおりとなる。
＜一致点＞
「一方の底面が開口した内部空間を有する筐体と、
　前記筐体の内部空間に設けられる光源と、
　前記筐体の内部空間に着脱可能である蓄電池と、
　前記筐体の内部空間に設けられ、前記光源の点灯動作或いは前記蓄電池への充放電動作を行う電源と、
　少なくとも外部装置と無線通信を行う無線通信モジュールが前記筐体の内部空間に挿入された場合に、前記無線通信モジュールを前記電源に接続する接続用端子と、
　前記筐体の開口を覆うように前記筐体に設けられた蓋と、
　を具備し、
　前記蓋は、前記筐体の内部空間に装着された前記無線通信モジュールの一部が観察可能である第１貫通孔と、前記光源の光が外部に出力されるように第２貫通孔とが形成され、
　前記蓋は、前記無線通信モジュールが前記筐体の内部空間に挿入された後に前記筐体に取り付けられる照明装置。」
＜相違点１＞
　本願発明１は、無線通信モジュールが、「アンテナを有し、」「前記アンテナが操作可能な位置に配置され、」「前記アンテナが操作されたときに点検動作を開始する」のに対し、引用発明は、リモコンモジュール３５が、受光素子と発光素子などの無線通信部品により構成され、アンテナを有しない点。
＜相違点２＞
　本願発明１は、無線通信モジュールが、「第１貫通穴より大きい」のに対し、引用発明は、リモコンモジュール３５が、穴６７より大きいのか不明である点。
（２）判断
　まず、相違点１について検討する。
　アンテナは、「空間に電波を放射したり、空間を伝わってきた電波をとらえたりする装置。空中線。」（大辞林第３版）を意味するところ、引用文献２〜４には、照明装置に設けられた無線通信モジュールがアンテナを有し、アンテナを操作することによって点検動作を開始することについて、何ら記載されておらず、示唆もない。
　また、照明装置に設けられた無線通信モジュールがアンテナを有し、アンテナを操作することによって点検動作を開始することが、本願出願前の技術常識や周知技術であることを認めるに足る証拠もない。
　よって、引用発明において、相違点１に係る本願発明１の構成とすることは、当業者が容易に想到し得たことであるとはいえない。
　したがって、相違点２について検討するまでもなく、本願発明１は、引用発明及び引用文献２〜４に記載された事項に基いて、本願出願前に当業者が容易に発明をすることができたものであるとはいえない。
２　本願発明２〜６について
　本願発明２〜６は、本願発明１の全ての構成を含み、更に請求項２〜６に記載された事項により特定される限定を付加するものであるから、上記１（２）で説示したのと同様に、引用発明及び引用文献２〜４に記載された事項に基いて、本願出願前に当業者が容易に発明をすることができたものであるとはいえない。
第６　原査定についての判断
　上記第５で説示したとおり、当業者であっても、本願発明１〜６は、引用文献１に記載された発明及び引用文献２〜４に記載された事項に基いて、本願出願前に当業者が容易に発明をすることができたものであるとはいえない。
　したがって、原査定の拒絶理由は維持できない。
第８　むすび
　以上のとおり、原査定の理由及び当審の理由によっては、本願を拒絶することはできない。
　また、他に本願を拒絶すべき理由を発見しない。
　よって、結論のとおり審決する。